(57)【要約】【課題】  母乳の漏れを確実に防止可能な母乳パッドを提供する。【解決手段】  ブラジャーと乳房との間に設けられ母乳を吸収可能な母乳パッド１は、母乳を吸収し保持可能な材料から形成されている吸収体１０、及び、ポリエチレンから形成され吸収体１０の裏側において吸収体１０に積層されるバックシート３０を備える。母乳パッド１は、吸収体１０の中心を通り吸収体１０とバックシート３０との積層方向に沿う仮想線を中心軸ＣＡ１とすると、バックシート３０が吸収体１０の中心軸ＣＡ１から離れる方向である側方に位置するよう形成されている。これにより、吸収体１０が吸収しきれない母乳が母乳パッド１の側方から漏れ出すことを防止することができる。【選択図】  図４
2019007091.tif 000002
【特許請求の範囲】
【請求項１】
衣服（５）と乳房との間に設けられ母乳を吸収可能な母乳パッドであって、
母乳を吸収し保持可能な材料から形成されている吸収体（１０）と、
不透液性を有する材料から形成され、前記吸収体の前記乳房とは反対側において前記吸収体に積層されている不透液性シート（３０）と、
を備え、
前記吸収体の中心を通り前記吸収体と前記不透液性シートとの積層方向に沿う仮想線を積層軸（ＣＡ１、ＣＡ２）とすると、前記不透液性シートは、前記吸収体の前記積層軸から離れる方向である側方に位置する母乳パッド。
【請求項２】
透液性を有する材料から形成され、前記吸収体の前記乳房側に設けられ、前記乳房に当接可能な当接シート（２０，４５）をさらに備え、
前記不透液性シートは、前記吸収体の前記乳房とは反対側に位置するシート部（３０１）、前記吸収体の前記側方に位置するサイドカバー部（３０２）、並びに、前記吸収体と前記当接シートとの間に位置し前記吸収体及び前記当接シートとに接着される接着部（３０３）を有する請求項１に記載の母乳パッド。
【請求項３】
前記接着部は、前記積層軸に向かう方向に延びるよう形成され、
前記積層軸に沿った方向から視たときの外形が前記接着部に沿った直線形状を有する請求項２に記載の母乳パッド。
【請求項４】
前記不透液性シートの前記乳房とは反対側に、前記直線形状に沿うよう設けられ、前記不透液性シートを前記衣服に止着可能なテープ（３５）をさらに備える請求項３に記載の母乳パッド。
【請求項５】
前記当接シートの前記乳房側に、前記直線形状に沿うよう設けられる立体ギャザー（４５）をさらに備える請求項３または４に記載の母乳パッド。
【請求項６】
前記不透液性シートは、前記接着部を除く箇所に前記側方に延びるよう形成され前記吸収体の前記側方において前記当接シートとともに鍔状のフランジ（３２）を形成する側方延伸部（３０４）を有し、
前記フランジを形成する前記当接シートの前記乳房側の隣り合う二つの面である二つの接着面（３３１，３３２）は、接着した状態で固定されている請求項３〜５のいずれか一項に記載の母乳パッド。
【請求項７】
隣り合う二つの前記接着面は、前記積層軸を挟んだ対称な位置にそれぞれ設けられる請求項６に記載の母乳パッド。
【請求項８】
請求項１〜７のいずれか一項に記載の母乳パッドを包装する母乳パッド包装体であって、
一枚の矩形状のシート（４１）を備え、
前記シートの隣り合う二つの角部（４１１，４１２）及び前記角部を結ぶ縁部（４１３）を前記シートの一方の面（４１８）に接着するとき、前記一方の面が露出するよう所定の折曲部（４１０）で折曲可能であり、
二つの前記角部と前記シートの一方の面との接着箇所（４２１，４２２）、前記縁部と前記シートの一方の面との接着箇所（４２３）、二つの前記角部の一方の角部と前記折曲部とを結ぶ一方の縁部（４１４）と前記シートの一方の面との接着箇所（４２４）、及び、二つの前記角部の他方の角部と前記折曲部とを結ぶ他方の縁部（４１５）と前記シートの一方の面との接着箇所（４２５）、並びに、前記折曲部によって囲まれる空間に前記母乳パッドを収容可能な母乳パッド包装体。
【請求項９】
二つの前記角部の少なくとも一つと前記シートの一方の面との接着箇所は、凹んだＲ形状に形成されている請求項８に記載の母乳パッド包装体。
【請求項１０】
請求項６または７に記載の母乳パッドの製造方法であって、
前記吸収体、及び、前記不透液性シートを積層する積層工程と、
前記不透液性シートに積層された前記吸収体の前記側方の一部を前記不透液性シートで巻き込む巻き込み工程と、
前記接着部と前記当接シートとを接着し前記直線形状を成形するとともに、前記側方延伸部と前記当接シートとを接着し前記フランジを成形する接着工程と、
前記フランジを形成する前記不透液性シートの前記乳房とは反対側の隣り合う二つの面であって前記接着面とは反対側の二つのつまみ面（３３３，３３４）をつまむことによって二つの前記接着面を当接し接着可能とするつまみ工程と、
当接する二つの前記接着面を接着し、前記母乳パッドをカップ状とする成形工程と、
を有する母乳パッドの製造方法。
【請求項１１】
前記つまみ工程において、前記フランジの前記積層軸を挟んだ対称な位置に形成されている二組のつまみ面をつまむ請求項１０に記載の母乳パッドの製造方法。
【発明の詳細な説明】
【技術分野】
【０００１】
本発明は、母乳の漏れを防止する母乳パッド、その母乳パッドの製造方法、及び、母乳パッドを包装する母乳パッド包装体に関する。
【背景技術】
【０００２】
従来、ブラジャーのカップ部に設けられ、乳房から分泌された母乳を吸収し保持することによって、ブラジャーからの母乳の漏れを防止する母乳パッドが知られている。例えば、特許文献１には、母乳を吸収し保持可能な吸収体、吸収体を覆うティッシュ、ティッシュの乳房側に位置するクッション、及び、クッションの乳房側に位置する表面材を備える母乳パッドが記載されている。
【先行技術文献】
【特許文献】
【０００３】
【特許文献１】特許第４３１５３０２号明細書
【発明の概要】
【発明が解決しようとする課題】
【０００４】
特許文献１に記載の母乳パッドでは、表面材は、クッション、ティッシュ及び吸収体の側方を覆うよう形成されている。しかしながら、表面材は、乳房から分泌された母乳を吸収体に向けて透過可能な透液性を有する材料から形成されている。このため、吸収体で吸収しきれない母乳は、吸収体の側方に位置する表面材を通ってブラジャーから漏れ出すおそれがある。
【０００５】
本発明は、上記の問題を鑑みてなされたものであり、その目的は、母乳の漏れを確実に防止可能な母乳パッドを提供することにある。
【課題を解決するための手段】
【０００６】
本発明は、衣服と乳房との間に設けられ母乳を吸収可能な母乳パッドであって、吸収体、及び、不透液性シートを備える。
吸収体は、母乳を吸収し保持可能な材料から形成されている。
不透液性シートは、不透液性を有する材料から形成され、吸収体の乳房とは反対側において吸収体に積層されている。
本発明の母乳パッドでは、吸収体の中心を通り吸収体と不透液性シートとの積層方向に沿う仮想線を積層軸とすると、不透液性シートは、吸収体の積層軸から離れる方向である側方に位置する。
【０００７】
本発明の母乳パッドでは、吸収体の側方には、不透液性を有する材料から形成されている不透液性シートが設けられている。これにより、吸収体が吸収しきれない母乳が母乳パッドの側方から漏れ出すことを防止することができる。したがって、母乳の漏れを確実に防止することができる。
【図面の簡単な説明】
【０００８】
【図１】第一実施形態による母乳パッドの正面図である。
【図２】図１のＩＩ矢視図である。
【図３】図１のＩＩＩ矢視図である。
【図４】図１のＩＶ−ＩＶ線の模式的な断面図である。
【図５】図１のＶ−Ｖ線の模式的な断面図である。
【図６】第一実施形態による母乳パッドの製造方法を説明する模式図である。
【図７】第一実施形態による母乳パッドの製造方法を説明する模式図であって、図６の後の状態を示す模式図である。
【図８】第一実施形態による母乳パッドを包装する母乳パッド包装体の斜視図である。
【図９】第一実施形態による母乳パッドを包装する母乳パッド包装体の正面図であって、母乳パッドを包装する前の状態を示す図である。
【図１０】第一実施形態による母乳パッドを包装する母乳パッド包装体の正面図であって、母乳パッドを包装した後の状態を示す図である。
【図１１】図１０のＸＩ矢視図である。
【図１２】第一実施形態による母乳パッドの使用方法を説明する模式図である。
【図１３】第二実施形態による母乳パッドの正面図である。
【図１４】図１３のＸＩＶ−ＸＩＶ線の模式的な断面図である。
【図１５】第二実施形態による母乳パッドの使用方法を説明する模式図である。
【発明を実施するための形態】
【０００９】
以下、複数の実施形態を図面に基づき説明する。なお、複数の実施形態において実質的に同一の構成部位には同一の符号を付し、説明を省略する。
【００１０】
（第一実施形態）
第一実施形態による母乳パッドを図１〜７に基づいて説明する。第一実施形態による母乳パッド１は、「衣服」としてのブラジャー５と当該ブラジャー５を装着する装着者の乳房との間に設けられる。母乳パッド１は、乳房から分泌される母乳を保持し母乳の漏れによる衣服の汚れを防止するとともに、乳首が傷ついたときにブラジャー５とのこすれから乳首を守る。
【００１１】
母乳パッド１は、図４，５に示すように、吸収体１０、「当接シート」としての表面材２０、「不透液性シート」としてのバックシート３０、及び、複数のテープ３５を備える。母乳パッド１では、吸収体１０、表面材２０、及び、バックシート３０が積層されている。なお、図４，５は、母乳パッド１をブラジャー５に装着したときの乳房側を「内」側とし、母乳パッド１をブラジャー５に装着したときの乳房とは反対側を「外」側として図示する。
【００１２】
吸収体１０は、粒子状または繊維状の高吸収ポリマー、フラッフパルプ、及び、図示しない支持部材から構成されている。第一実施形態では、吸収体１０は、略円板状に形成されている。吸収体１０は、母乳を吸収し保持する。
高吸収ポリマーは、例えば、ポリアクリル酸ナトリウム塩から形成されている。高吸収ポリマーは、母乳を吸収し吸収した母乳を保持する機能を有する。
フラッフパルプは、吸収体１０内において高吸収ポリマーを分散した状態で保持する。
吸収体１０は、高吸収ポリマー及びフラッフパルプの混合物を成形したものを支持部材によって覆うよう形成されている。支持部材は、例えば、ティッシュなどの透液性を有する材料から形成されている。支持部材は、型崩れや高吸収ポリマーの脱落を防止するとともに、高吸収ポリマー及びフラップパルプが効率的に母乳を吸収できるよう母乳を拡散させることが可能である。
【００１３】
表面材２０は、吸収体１０の内側に設けられる。図１の模式図は、表面材２０側からみた母乳パッド１の模式図である。表面材２０は、シート状の親水性を有する不織布であって、母乳を通すことができるとともに通気性を有する。表面材２０は、内側の面２０１が肌に優しく触れる触感を有する。表面材２０は、外側の面２０２がバックシート３０の縁部３０３に、例えば、糊によって接着されている。
【００１４】
バックシート３０は、「不透液性を有する材料」としての母乳が通ることが不可能な材料、例えば、ポリエチレンから形成されている部材である。バックシート３０は、図４に示すように、吸収体１０の外側から吸収体１０の側方を通り吸収体１０の内側の縁を覆うよう形成されている。バックシート３０は、シート部３０１、サイドカバー部３０２、「接着部」としての縁部３０３、及び、「側方延伸部」としてのフランジ部３０４を有する。
【００１５】
ここで、第一実施形態における「側方」とは、吸収体１０の中心を通り吸収体１０及びバックシート３０が積層される方向に沿う仮想線を「積層軸」としての中心軸ＣＡ１とすると、吸収体１０の中心軸ＣＡ１から離れる方向を指す。すなわち、「側方」とは、略円板状に形成されている吸収体１０の径外方向である。
【００１６】
シート部３０１は、吸収体１０の外側に位置する。シート部３０１は、内側の面３０５が吸収体１０に、例えば、糊によって接着されている。シート部３０１は、吸収体１０から外側へ向かう母乳の漏れを防止する。
サイドカバー部３０２は、シート部３０１の径方向外側から表面材２０の方向に延びるよう形成されている。サイドカバー部３０２は、図４に示すように、吸収体１０の側方に位置する。サイドカバー部３０２は、吸収体１０の側方に向かう母乳の漏れを防止する。
縁部３０３は、サイドカバー部３０２のシート部３０１とは反対側から吸収体１０の径内方向に延びるよう形成されている。縁部３０３は、吸収体１０と表面材２０との間に位置し、表面材２０と、例えば、糊によって接着される。
フランジ部３０４は、図５に示すように、バックシート３０の外周部の縁部３０３を除く箇所において側方に延びるよう形成されている。フランジ部３０４は、吸収体１０の側方において表面材２０とともに鍔状のフランジ３２を形成する（図１，２参照）。
【００１７】
テープ３５は、バックシート３０のシート部３０１の外側の面３０６に設けられている。第一実施形態では、テープ３５は、母乳パッド１の外周近傍であって母乳パッド１の外形に沿うよう設けられる二つのテープ３５１、テープ３５１に比べ母乳パッド１の径内方向に設けられる二つのテープ３５２、及び、母乳パッド１の略中央を通るよう設けられている一つのテープ３５３を有する。テープ３５１，３５２，３５３は、図１に示すように、略平行に設けられている。テープ３５は、母乳パッド１を使用するとき、ブラジャー５に接着されブラジャー５に対する母乳パッド１のずれを防止する。
【００１８】
次に、母乳パッド１の外観について説明する。
母乳パッド１では、縁部３０３は、図１，４に示すように、母乳パッド１の中心軸ＣＡ１を挟んで対称な位置に設けられている。図１に示すように、母乳パッド１は、縁部３０３が設けられている部位の形状が直線形状となる。ここでは、便宜的に、母乳パッド１を中心軸ＣＡ１に沿った方向から視たときの外形で直線形状となっている部位を直線部３１という。母乳パッド１は、図１に示すように、中心軸ＣＡ１を挟んだ対称な位置に直線部３１を有する。すなわち、母乳パッド１は、二つの直線部３１を有する。前述のテープ３５１は、二つの直線部３１のそれぞれに沿うよう設けられている。
また、図１に示すように、母乳パッド１を中心軸ＣＡ１に沿った方向から視たときの外形で直線部３１以外の形状は、フランジ部３０４と表面材２０とによって形成されるフランジ３２の形状である円弧形状となっている。フランジ３２は、二つの直線部３１を挟んだ対称な位置に二つ形成される。
【００１９】
次に、母乳パッド１の製造方法について、図６，７に基づいて説明する。
最初に、「積層工程」として吸収体１０とバックシート３０とを積層する。
次に、「巻き込み工程」として、吸収体１０の側方の一部を吸収体１０に積層されたバックシート３０で巻き込む。
次に、「接着工程」として、バックシート３０の縁部３０３及びフランジ部３０４と表面材２０とを、例えば、糊によって接着する。図６に示す模式図は、接着工程が終わった後の母乳パッド１の製造途中の状態を示す。この状態では、表面材２０、吸収体１０、及び、バックシート３０が積層された状態のままであり、略平板状となっている。
【００２０】
次に、「つまみ工程」として、フランジ３２の一部をつまんで、図６に示す表面材２０からバックシート３０までが積層された状態の部材をカップ状に成形する。
つまみ工程では、最初に、フランジ３２を形成する表面材２０において隣り合う二つの接着面３３１，３３２を設定する。接着面３３１は、図６に示すように、フランジ３２において二点鎖線３２０と二点鎖線３２１とに囲まれる面である。また、接着面３３２は、図６に示すように、フランジ３２において二点鎖線３２０と二点鎖線３２２とに囲まれる面である。第一実施形態では、二つの接着面３３１，３３２の組み合わせは、図６に示すように、中心軸ＣＡ１を挟んで対称な位置に設定される。
つまみ工程では、フランジ３２において接着面３３１，３３２とは反対側、すなわち、フランジ３２を形成するバックシート３０のフランジ部３０４に設定されるつまみ面３３３，３３４（図１，３参照）をつまんで二点鎖線３２０を谷折りし、二つの接着面３３１，３３２を当接させる。なお、図７には、フランジ３２をつまむ前の状態を点線で示し、フランジ３２をつまんだ後の状態を実線で示す。
【００２１】
次に、「成形工程」として、当接する二つの接着面３３１，３３２を接着する。第一実施形態では、中心軸ＣＡ１を挟んで対称な位置にそれぞれ設定される二つの接着面３３１，３３２を接着するため、母乳パッド１の中心部分が内側から外側に向かって凹む。これにより、母乳パッド１は、形状が乳房の形状にあったカップ状を維持することが可能となる。
このとき、図２に示すように、接着ざれた二つの接着面３３１，３３２の角３３０をカットし、Ｒ形状とすることによって、母乳パッド１を装着したときの触感を向上することが可能である。
【００２２】
次に、母乳パッド１の使用方法について、図８〜１２に基づいて説明する。
母乳パッド１は、個別に包装されている。ここでは、最初に、母乳パッド１を包装している母乳パッド包装体の構成について図８〜１１に基づいて説明する。
図８に母乳パッド１を包装している母乳パッド包装体４０の斜視図を示す。母乳パッド包装体４０は、図９に示すように、略矩形状に形成されている一枚のシート４１から形成されている。
【００２３】
シート４１で母乳パッド１を包装するとき、図９に示すように、シート４１の中心Ｃ４０から隣り合う二つの角部４１１，４１２側にずれた位置に折曲部４１０（図９の点線４１０）を設定する。その後、二つの直線部３１が重なるよう折り畳まれた母乳パッド１を折曲部４１０からみてシート４１の面積が広い側、すなわち、二つの角部４１１，４１２がある側とは反対側に置く。
【００２４】
母乳パッド１をシート４１上に置いた後、当該母乳パッド１をシート４１で挟み込むように二つの角部４１１，４１２がある側のシート４１を折曲部４１０で折り曲げる（図９の白抜き矢印Ｆ９１，Ｆ９２）。
シート４１を折曲部４１０で折り曲げた後、シート４１を折り曲げたときにシート４１の一方の面４１８（図１１参照）と接触する角部４１１近傍の箇所４２１、角部４１２近傍の箇所４２２、二つの角部４１１，４１２を結ぶ縁部４１３近傍の箇所４２３、角部４１１と折曲部４１０とを結ぶ「一方の縁部」として縁部４１４近傍の箇所４２４、及び、角部４１２と折曲部４１０とを結ぶ「他方の縁部」として縁部４１５近傍の箇所４２５と、シート４１の一方の面４１８とを、例えば、熱圧着によって接着する。このとき、箇所４２１，４２２は、図１０に示すように、凹んだＲ形状に形成される。これにより、母乳パッド１は、図１０，１１に示すように、箇所４２１，４２２，４２３，４２４，４２５及び折曲部４１０によって囲まれる空間に収容される。
【００２５】
母乳パッド１を使用するとき、使用者は、シート４１の角部４１１，４１２とは別の角部４１６，４１７近傍のシート４１（例えば、図８の二点鎖線で囲む領域Ｒ４０）を把持しつつ、角部４１１または角部４１２をつまんで一方の面４１８との接着を解除し、母乳パッド１を取り出す。
【００２６】
図１２に母乳パッド１が装着されたブラジャー５の模式図を示す。図１２に示すブラジャー５は、授乳時に利用されるクロスオープンタイプのブラジャーである。
母乳パッド１をブラジャー５に装着するとき、図１２に示すように、カップ部５１において、二つのカップ部５１の交点５２とカップ部５１のストラップ５３が接続する箇所との間の部位５４の形状に、母乳パッド１の直線部３１が沿うよう装着される。このとき、テープ３５をカップ部５１の内側に貼りつけることによって母乳パッド１のずれを防止することが可能である。
【００２７】
（ａ）第一実施形態による母乳パッド１では、不透液性を有するポリエチレンから形成されているバックシート３０は、吸収体１０の中心軸ＣＡ１から離れる方向である側方に位置する。これにより、吸収体１０が吸収しきれない母乳が母乳パッド１の側方から漏れ出すことを防止することができる。したがって、第一実施形態は、母乳の漏れを確実に防止することができる。
【００２８】
（ｂ）一般的に、母乳パッドは、吸収体の径外方向の全周にフランジを有する。フランジは、かさかさした触感となるため、ブラジャーに装着して使用するとき使用者が不快に感じる。
第一実施形態による母乳パッド１は、母乳パッド１を中心軸ＣＡ１に沿った方向から視たときの外形で直線部３１を有する。直線部３１は、吸収体１０の側方に位置するバックシート３０の縁部３０３を吸収体１０の径内方向に延びるよう形成し、吸収体１０と表面材２０とに接着させる。これにより、直線部３１が形成される箇所にはフランジが形成されなくなる。したがって、母乳パッド１は、肌触りが良くなり、触感を向上することができる。
【００２９】
（ｃ）また、一般的に、母乳パッドのフランジには、ブラジャーに母乳パッドを装着するためのテープが設けられることはない。このため、ブラジャーをずらして授乳するとき、フランジが折れ曲がってテープにくっつくおそれがある。フランジがテープにくっつくとねじれてしまい、母乳パッドが使用できなくなる。
第一実施形態による母乳パッド１は、図１２に示すように、フランジがない直線部３１が授乳時に乳房を出す部位５４に沿うようブラジャー５に設けられるため、母乳パッド１がねじれにくい。これにより、母乳パッド１の無駄な消費を抑制することができる。また、直線部３１が部位５４に沿うようブラジャー５に設けられるため、胸元から母乳パッド１がはみ出すことを防止することができる。
【００３０】
（ｄ）また、第一実施形態による母乳パッド１では、テープ３５１は、直線部３１に沿うよう設けられている。これにより、母乳パッド１のねじれをさらに防止することができる。
【００３１】
（ｅ）第一実施形態による母乳パッド１では、母乳パッド１を製造するとき、フランジ３２のつまみ面３３３，３３４をつまんで二つの接着面３３１，３３２を当接し接着することによって、母乳パッド１の形状をカップ状とする。これにより、吸収体１０を切り欠くことなく母乳パッド１を乳房の形状に合ったカップ状とすることができる。したがって、母乳パッド１の母乳の吸収性能を低下させることなく乳房に母乳パッド１をフィットさせることができる。
【００３２】
（ｆ）また、第一実施形態による母乳パッド１では、二つの接着面３３１、３３２の組み合わせが中心軸ＣＡ１を挟んで対称な位置に設けられている。母乳パッド１を製造するとき、これらを接着することによって母乳パッド１の形状をさらに乳房の形状にあったカップ状とすることができる。
【００３３】
（ｇ）第一実施形態による母乳パッド１は、一枚のシート４１から形成される母乳パッド包装体４０に収納されている。母乳パッド包装体４０では、折り曲げたシート４１においてシート４１の一方の面４１８に接着されるシート４１の箇所４２１，４２２，４２３，４２４，４２５及び折曲部４１０によって囲まれる空間に収納されている。これにより、母乳パッド１を清潔に保つことができる。
また、母乳パッド１を母乳パッド包装体４０から取り出すとき、シート４１の角部４１６，４１７近傍のシート４１の領域Ｒ４０を把持しつつ、角部４１６，４１７とはずれた位置にある角部４１１または角部４１２をつまんで一方の面４１８との接着を解除し、母乳パッド１を取り出す。これにより、母乳パッド１の使用者は、容易に母乳パッド１を取り出すことができる。
【００３４】
（ｈ）また、母乳パッド１を母乳パッド包装体４０から取り出すとき母乳パッド１の使用者がつまむ角部４１１近傍の箇所４２１または角部４１２近傍の箇所４２２は、熱圧着において凹んだＲ形状に形成される。これにより、使用者は、シート４１の一方の面４１８に接着されていない角部４１１または角部４１２を容易につまむことができるため、さらに容易に母乳パッド１を取り出すことができる。
【００３５】
（第二実施形態）
第二実施形態による母乳パッドを図１３〜１５に基づき説明する。第二実施形態では、立体ギャザーを備えている点が第一実施形態と異なる。
【００３６】
第二実施形態による母乳パッド２は、図１４に示すように、吸収体１０、表面材２０、立体ギャザー４５、バックシート３０、及び、複数のテープ３５を備える。なお、図１４は、母乳パッド２をブラジャー５に装着したときの乳房側を「内」側とし、母乳パッド２をブラジャー５に装着したときの乳房とは反対側を「外」側として図示する。
【００３７】
立体ギャザー４５は、表面材２０の内側に設けられる。図１３の模式図は、表面材２０側からみた母乳パッド２の模式図である。立体ギャザー４５は、接着部４５１、立体部４５２、及び、糸ゴム４５３を有する。接着部４５１及び立体部４５２は、不透液性を有する材料、例えば、疎水性繊維からなる不織布から形成されている。
【００３８】
接着部４５１は、表面材２０の内側の面２０１に接着される略平板状の部位である。接着部４５１は、直線部３１に沿って設けられる。
【００３９】
立体部４５２は、接着部４５１から「積層軸」としての中心軸ＣＡ２に沿って内側に延びるよう形成されている。立体部４５２は、図１４に示すように、接着部４５１から内側に延びた後、折り返され、外側に延びるよう形成されている。立体部４５２の最も内側の折り返された部位に囲まれる空間４５０に糸ゴム４５４が設けられている。
【００４０】
糸ゴム４５３は、空間４５０において直線部３１に沿うよう設けられている。糸ゴム４５４は、立体部４５２を図１３に示すようにひだ状に寄せ集める付勢力を有する。
このように、立体ギャザー４５は、母乳パッド２の直線部３１に沿うよう設けられている。
【００４１】
次に、母乳パッド２の使用方法について、図１５に基づいて説明する。図１５には母乳パッド２の使用者の姿勢に応じて母乳パッド２の装着方向を変えた使用例を示す。
図１５（ａ）には、使用者が立っている状態、例えば、昼間の母乳パッド２の装着方向を示している。母乳パッド２を昼間使用する場合、二つある立体ギャザー４５のいずれか一つを乳房に対して地方向に位置させる。これにより、重力によって地方向に流れる母乳は、立体ギャザー４５によって受け止められ、漏れが防止される。なお、図１５（ａ）では、立っている使用者が母乳パッド２を使用しているときの重力方向上方を「天」方向とし、重力方向を「地」方向として示す。
【００４２】
また、図１５（ｂ）には、使用者が横向きに寝ている状態、例えば、夜間の母乳パッド２の装着方向を示している。母乳パッド２を夜間使用する場合、二つある立体ギャザーを乳房に挟んで天方向と地方向との両方に位置させる。これにより、重力によって地方向に流れる母乳は、立体ギャザーによって受け止められ、漏れが防止される。なお、図１５（ｂ）では、右向きに寝ている使用者が母乳パッド２を使用しているときの重力方向上方を「天」方向とし、重力方向を「地」方向として示す。
【００４３】
第二実施形態による母乳パッド２は、立体ギャザーを備えている。図１５に示したように、使用者の姿勢にあわせて立体ギャザーの位置を変更することによって母乳の流れを確実に堰き止めることができる。したがって、第二実施形態は、第一実施形態の効果（ａ）、（ｂ）、（ｅ）〜（ｈ）を奏するとともに、母乳の漏れを確実に防止することができる。
【００４４】
（他の実施形態）
上述の実施形態では、母乳パッドは、吸収体、表面材、バックシート、及び、複数のテープを備えるとした。母乳パッドの構成はこれに限定されない。母乳を吸収し保持可能な材料から形成されている吸収体と、不透液性を有する材料から形成され吸収体の乳房とは反対側において吸収体に積層されている不透液性シートとを備えていればよい。
【００４５】
上述の実施形態では、吸収体は、高吸収ポリマー、フラッフパルプ、及び、支持部材から構成されているとした。吸収体の構成はこれに限定されない。例えば、支持部材はなくてもよく、母乳を吸収し保持可能な材料から形成されていれば、熱可塑性合成樹脂からなる繊維などを含んでいてもよい。また、支持部材は、ティッシュではなく、不織布などから形成されてもよい。
また、表面材は、親水性を有する不織布から形成されているとした。しかしながら、多数の開孔を有する疎水性の繊維不織布やフィルムから形成されてもよい。
また、バックシートは、ポリエチレンから形成されるとした。しかしながら、「不透液性シート」を形成する材料はこれに限定されない。母乳を通さない材料が含まれていればよく、積層されている不織布またはラミネートされている不織布であってもよい。
また、表面材、吸収体、及び、バックシートの接着は、糊によるものには限定されない。
【００４６】
上述の実施形態では、母乳パッドを中心軸に沿った方向から視たときの外形は、直線形状と円弧形状とを有する形状であるとした。母乳パッドの形状はこれに限定されない。
【００４７】
上述の実施形態では、母乳パッドは、テープを有するとした。テープはなくてもよい。また、テープの数、大きさ、及び、配置は、上述の実施形態に限定されない。
【００４８】
上述の実施形態では、母乳パッドは、二つの接着面の組み合わせを二つ有するとした。一つであっても母乳パッドをカップ状に形成することができる。
【００４９】
上述の実施形態では、母乳パッドは、クロスオープンタイプのブラジャーに装着されるとした。しかしながら、母乳パッドは、クロスオープンタイプ以外のブラジャーに装着してもよく、母乳の漏れを防止するよう衣服に設けられればよい。
【００５０】
上述の実施形態では、母乳パッド包装体を形成するシートの二つの角部がシートの面と接着される箇所の形状は、凹んだＲ形状に形成されるとした。しかしながら、接着される箇所の形状は、凹んだＲ形状でなくてもよい。二つの角部の先端が接着されない形状であればよい。
【００５１】
上述の実施形態では、母乳パッドをシートで包装するとき、熱圧着によって接着するとした。しかしながら。接着の方法はこれに限定されない。
【００５２】
上述の実施形態では、シートで母乳パッドを包装するとき、母乳パッドを折曲部からみてシートの面積が広い側に置くとした。しかしながら、折曲部からみてシートの面積が狭い側に母乳パッドを置いてもよい。
【００５３】
第二実施形態では、立体ギャザーは、疎水性繊維からなる不織布から形成されているとした。しかしながら、立体ギャザーを形成する材料はこれに限定されない。はっ水性を有する不織布やプラスティックフィルムなどから形成されてもよい。また、立体ギャザーは、糸ゴムを有するとしたが、糸状でなくてもよく、例えば、伸縮フィルムなど伸縮する材料であればよい。
【００５４】
本発明は、上述した実施形態に限定されるものではなく、発明の趣旨を逸脱しない範囲で種々の形態で実施可能である。
【符号の説明】
【００５５】
１，２・・・母乳パッド
５・・・ブラジャー（衣服）
１０・・・吸収体
３０・・・バックシート（不透液性シート）
ＣＡ１，ＣＡ２・・・中心軸（積層軸）
【図１】
2019007091.tif 000003
【図２】
2019007091.tif 000004
【図３】
2019007091.tif 000005
【図４】
2019007091.tif 000006
【図５】
2019007091.tif 000007
【図６】
2019007091.tif 000008
【図７】
2019007091.tif 000009
【図８】
2019007091.tif 000010
【図９】
2019007091.tif 000011
【図１０】
2019007091.tif 000012
【図１１】
2019007091.tif 000013
【図１２】
2019007091.tif 000014
【図１３】
2019007091.tif 000015
【図１４】
2019007091.tif 000016
【図１５】
2019007091.tif 000017
【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
衣服（５）と乳房との間に設けられ母乳を吸収可能な母乳パッドであって、
母乳を吸収し保持可能な材料から形成されている吸収体（１０）と、
不透液性を有する材料から形成され、前記吸収体の前記乳房とは反対側において前記吸収体に積層されている不透液性シート（３０）と、
透液性を有する材料から形成され、前記吸収体の前記乳房側に設けられ、前記乳房に当接可能な当接シート（２０）と、
を備え、
前記吸収体の中心を通り前記吸収体と前記不透液性シートとの積層方向に沿う仮想線を積層軸（ＣＡ１、ＣＡ２）とすると、前記不透液性シートは、前記吸収体の前記積層軸から離れる方向である側方に位置し、
前記不透液性シートは、前記吸収体と前記当接シートとの間に位置し前記吸収体及び前記当接シートとに接着される接着部（３０３）、及び、前記接着部を除く箇所に前記側方に延びるよう形成され前記吸収体の前記側方において前記当接シートとともに鍔状のフランジ（３２）を形成する側方延伸部（３０４）を有し、
前記フランジを形成する前記当接シートの前記乳房側の隣り合う二つの面である二つの接着面（３３１，３３２）は、接着した状態で固定されている母乳パッド。
【請求項２】
前記不透液性シートは、前記吸収体の前記乳房とは反対側に位置するシート部（３０１）、及び、前記吸収体の前記側方に位置するサイドカバー部（３０２）を有する請求項１に記載の母乳パッド。
【請求項３】
前記接着部は、前記積層軸に向かう方向に延びるよう形成され、
前記積層軸に沿った方向から視たときの外形が前記接着部に沿った直線形状を有する請求項１または２に記載の母乳パッド。
【請求項４】
前記不透液性シートの前記乳房とは反対側に、前記直線形状に沿うよう設けられ、前記不透液性シートを前記衣服に止着可能なテープ（３５）をさらに備える請求項３に記載の母乳パッド。
【請求項５】
前記当接シートの前記乳房側に、前記直線形状に沿うよう設けられる立体ギャザー（４５）をさらに備える請求項３または４に記載の母乳パッド。
【請求項６】
隣り合う二つの前記接着面は、前記積層軸を挟んだ対称な位置にそれぞれ設けられる請求項１〜５のいずれか一項に記載の母乳パッド。
【請求項７】
請求項１〜６のいずれか一項に記載の母乳パッドを包装する母乳パッド包装体であって、
一枚の矩形状のシート（４１）を備え、
前記シートの隣り合う二つの角部（４１１，４１２）及び前記角部を結ぶ縁部（４１３）を前記シートの一方の面（４１８）に接着するとき、前記一方の面が露出するよう所定の折曲部（４１０）で折曲可能であり、
二つの前記角部と前記シートの一方の面との接着箇所（４２１，４２２）、前記縁部と前記シートの一方の面との接着箇所（４２３）、二つの前記角部の一方の角部と前記折曲部とを結ぶ一方の縁部（４１４）と前記シートの一方の面との接着箇所（４２４）、及び、二つの前記角部の他方の角部と前記折曲部とを結ぶ他方の縁部（４１５）と前記シートの一方の面との接着箇所（４２５）、並びに、前記折曲部によって囲まれる空間に前記母乳パッドを収容可能な母乳パッド包装体。
【請求項８】
二つの前記角部の少なくとも一つと前記シートの一方の面との接着箇所は、凹んだＲ形状に形成されている請求項７に記載の母乳パッド包装体。
【請求項９】
請求項１〜６のいずれか一項に記載の母乳パッドの製造方法であって、
前記吸収体、及び、前記不透液性シートを積層する積層工程と、
前記不透液性シートに積層された前記吸収体の前記側方の一部を前記不透液性シートで巻き込む巻き込み工程と、
前記接着部と前記当接シートとを接着し直線形状を成形するとともに、前記側方延伸部と前記当接シートとを接着し前記フランジを成形する接着工程と、
前記フランジを形成する前記不透液性シートの前記乳房とは反対側の隣り合う二つの面であって前記接着面とは反対側の二つのつまみ面（３３３，３３４）をつまむことによって二つの前記接着面を当接し接着可能とするつまみ工程と、
当接する二つの前記接着面を接着し、前記母乳パッドをカップ状とする成形工程と、
を有する母乳パッドの製造方法。
【請求項１０】
前記つまみ工程において、前記フランジの前記積層軸を挟んだ対称な位置に形成されている二組のつまみ面をつまむ請求項９に記載の母乳パッドの製造方法。
【手続補正２】
【補正対象書類名】明細書
【補正対象項目名】０００６
【補正方法】変更
【補正の内容】
【０００６】
本発明は、衣服と乳房との間に設けられ母乳を吸収可能な母乳パッドであって、吸収体、不透液性シート、及び、当接シートを備える。
吸収体は、母乳を吸収し保持可能な材料から形成されている。
不透液性シートは、不透液性を有する材料から形成され、吸収体の乳房とは反対側において吸収体に積層されている。
当接シートは、透液性を有する材料から形成され、吸収体の乳房側に設けられ、乳房に当接可能である。
本発明の母乳パッドでは、吸収体の中心を通り吸収体と不透液性シートとの積層方向に沿う仮想線を積層軸とすると、不透液性シートは、吸収体の積層軸から離れる方向である側方に位置する。また、本発明の母乳パッドでは、不透液性シートは、吸収体と当接シートとの間に位置し吸収体及び当接シートとに接着される接着部、及び、接着部を除く箇所に側方に延びるよう形成され吸収体の側方において当接シートとともに鍔状のフランジを形成する側方延伸部を有する。フランジを形成する当接シートの乳房側の隣り合う二つの面である二つの接着面は、接着した状態で固定されている。
【手続補正３】
【補正対象書類名】明細書
【補正対象項目名】００２１
【補正方法】変更
【補正の内容】
【００２１】
次に、「成形工程」として、当接する二つの接着面３３１，３３２を接着する。第一実施形態では、中心軸ＣＡ１を挟んで対称な位置にそれぞれ設定される二つの接着面３３１，３３２を接着するため、母乳パッド１の中心部分が内側から外側に向かって凹む。これにより、母乳パッド１は、形状が乳房の形状にあったカップ状を維持することが可能となる。
このとき、図２に示すように、接着された二つの接着面３３１，３３２の角３３０をカットし、Ｒ形状とすることによって、母乳パッド１を装着したときの触感を向上することが可能である。
【手続補正４】
【補正対象書類名】明細書
【補正対象項目名】００５１
【補正方法】変更
【補正の内容】
【００５１】
上述の実施形態では、母乳パッドをシートで包装するとき、熱圧着によって接着するとした。しかしながら、接着の方法はこれに限定されない。